(57)【要約】【課題】中蓋を回動することで内容物を押出可能とされた内容物押出容器において、内容物が引っ込む方向に中蓋が回動することを防止し、容器本体内の内容物の品質を衛生的に保てるようにする。【解決手段】収容部５の内周面に径内方向に向かって突出した回り止め部２３を形成し、内容物支持台７には回り止め部２３に対応して切欠部２４を形成し、回り止め部２３に切欠部２４を当接させて内容物支持台７の収容部５内での回動を規制し、さらに回り止め部２３の径外側の容器本体２外周面にラチェット爪１６を形成し、このラチェット爪１６と噛合するラチェット歯２１を中蓋３に複数形成し、容器本体２に対する中蓋３の相対回動方向を一方向のみに規制した。【選択図】図２
2008094423.tif 000002
【特許請求の範囲】
【請求項１】
上部に開口部（５ａ）を有する有底筒状の容器本体（２）と、上面に注出口（１１）を有し前記開口部（５ａ）を覆うように容器本体（２）に回動自在に嵌着される中蓋（３）と、前記中蓋（３）に上端が嵌合されて前記容器本体（２）内で中蓋（３）と一体的に回動するように前記容器本体（２）内の中央部に上下方向に亘って配置されたネジ棒（６）と、前記ネジ棒（６）に螺合され、該ネジ棒（６）の回動により容器本体（２）内で昇降自在に嵌合された内容物支持台（７）とを備えた内容物押出容器において、
前記容器本体（２）は内周面に径内方向に向かって突出する前記内容物支持台（７）の回り止め部（２３）が上下方向に亘って形成され、前記内容物支持台（７）は該回り止め部（２３）に対応して切欠部（２４）が形成されており、
前記容器本体（２）と前記中蓋（３）との間に容器本体（２）に対する中蓋（３）の相対回動方向を一方向のみに規制するラチェット機構（３５）が設けられていることを特徴とする内容物押出容器。
【請求項２】
前記ラチェット機構（３５）は、前記容器本体（２）の回り止め部（２３）と、該回り止め部（２３）に対応した中蓋（３）との間に設けられていることを特徴とする請求項１に記載の内容物押出容器。
【請求項３】
前記ラチェット機構（３５）は、前記容器本体（２）及び中蓋（３）の周方向２箇所に対向形成されていることを特徴とする請求項１又は２に記載の内容物押出容器。
【請求項４】
前記容器本体（２）の回り止め部（２３）は、径内方向に向かって突出する内壁（２７）と、該内壁（２７）の外側に間隙（３０）を隔てて形成された外壁（２６）とを有し、この外壁（２６）の一部に前記ラチェット機構（３５）のラチェット爪（１６）が前記間隙（３０）内へ退入可能で、常時、外壁（２６）の外側へ弾性的に突出するように形成されていることを特徴とする請求項１〜３のいずれか１項に記載の内容物押出容器。
【請求項５】
前記中蓋（３）の上面に、径内側に向けて下方に凹んだ受皿部（２８）が形成されていることを特徴とする請求項１〜４のいずれか１項に記載の内容物押出容器。
【発明の詳細な説明】
【技術分野】
【０００１】
本発明は、粘性物または練り状物などの内容物を収容すると共に、これらの内容物を押し出して使用に供することのできる内容物押出容器に関するものである。
【背景技術】
【０００２】
特許文献１には、「容器本体の口部外周に、頂壁中央部に透孔を有し、中央部以外の頂壁に注出口を有し、頂壁中央部裏面から垂設した中空の螺棒を有する中蓋を回転自在に嵌合し、かつ容器本体内に上下動のみ可能に嵌挿された練状物押出し用受皿における内筒部内に前記螺棒を螺合し、容器本体における底壁の上面中央部に、筒部外周に縦溝および鍔部上面に縦溝と連通する横溝を有するハット型嵌合子を突設し、この嵌合子の筒部外周に前記螺棒の下端を遊嵌すると共に、螺棒の下端面と、前記受皿における内筒部の下端面を、前記嵌合子の鍔部上面に位置させ、前記中蓋の透孔、螺棒内、嵌合子の縦溝及び横溝を介して、受皿と容器本体の底壁との間に給気路を形成した練状物押出し容器（実用新案登録請求の範囲）。」が記載されている。
【特許文献１】特開昭５８−８７００号公報
【発明の開示】
【発明が解決しようとする課題】
【０００３】
特許文献１の練状物押出し容器では、中蓋を一方向に回転することで練状物押出し用受皿が上動し、透孔から練状物が押し出される構造となっている。ところが、この中蓋は容器本体に対して練状物を押出す方向にも逆方向にも回動し得る。このため、使用時に誤って中蓋が逆方向に回動されると、押し出されていた練状物（酸化したり雑菌や汚れが付着している可能性がある）が容器本体内に戻ってしまい、容器本体内の練状物の品質を劣化させたり非衛生的になったりする問題がある。
本発明は上記問題を解決すべく為されたものであって、その目的は内容物が引っ込む方向に中蓋が回動することを防止し、容器本体内の内容物の品質を衛生的に保つことができる内容物押出容器を提供することにある。
【課題を解決するための手段】
【０００４】
上記課題を解決するために本発明は以下の手段を講じた。即ち、
上部に開口部５ａを有する有底筒状の容器本体２と、上面に注出口１１を有し前記開口部５ａを覆うように容器本体２に回動自在に嵌着される中蓋３と、前記中蓋３に上端が嵌合されて前記容器本体２内で中蓋３と一体的に回動するように前記容器本体２内の中央部に上下方向に亘って配置されたネジ棒６と、前記ネジ棒６に螺合され、該ネジ棒６の回動により容器本体２内で昇降自在に嵌合された内容物支持台７とを備えた内容物押出容器において、
前記容器本体２は内周面に径内方向に向かって突出する前記内容物支持台７の回り止め部２３が上下方向に亘って形成され、前記内容物支持台７は該回り止め部２３に対応して切欠部２４が形成されており、
前記容器本体２と前記中蓋３との間に容器本体２に対する中蓋３の相対回動方向を一方向のみに規制するラチェット機構３５が設けられている。
【０００５】
これによって、内容物が引っ込む方向に中蓋が回動することを防止し、容器本体内の内容物の品質を衛生的に保つことができる。
前記ラチェット機構３５は、前記容器本体２の回り止め部２３と、該回り止め部２３に対応した中蓋３との間に設けられている。
これによって、ラチェット機構３５は、容器本体２の回り止め部２３の径方向厚みを活用して設置することができ、設置スペースの削減が図れる。
前記ラチェット機構３５は、前記容器本体２及び中蓋３の周方向２箇所に対向形成されている。
【０００６】
これによって、容器本体２や中蓋３をネジ棒６に対して対称形状とすることができ、容器本体２及び中蓋３の金型設計が容易となり、また成形品の型抜き性を向上させることができる。
前記容器本体２の回り止め部２３は、径内方向に向かって突出する内壁２７と、該内壁２７の外側に間隙３０を隔てて形成された外壁２６とを有し、この外壁２６の一部に前記ラチェット機構３５のラチェット爪１６が前記間隙３０内へ退入可能で、常時、外壁２６の外側へ弾性的に突出するように形成されている。
【０００７】
これによって、容器本体２を大型化して容器本体２の周壁の厚みが厚くなった場合であっても、外壁２６の厚みを適切な厚みとすることができ、大型の内容物押出容器１（例えば、掌に載せられる程度の大きさを超えるもの）に容易にラチェット爪１６を形成することができる。
前記中蓋３の上面に、径内側に向けて下方に凹んだ受皿部２８が形成されている。
これによって、内容物８を前記受皿部２８に押し出してから、外蓋４を外して受皿部２８の内容物８をすくい取ることができ、外蓋４の表面（外観）を清浄に保つことができる。また、中蓋３と外蓋４との間に隙間を形成し易くなるので、押し出した内容物８が中蓋３と外蓋４との間に付着して外蓋４が回動しにくくなることを防ぐことができる。
【発明の効果】
【０００８】
本発明により、内容物が引っ込む方向に中蓋が回動することを防止し、容器本体内の内容物の品質を衛生的に保つことができる。
【発明を実施するための最良の形態】
【０００９】
以下、本発明の実施の形態を図面に基づき説明する。本発明の内容物押出容器１は、化粧品、整髪剤、洗顔剤、薬品などの粘性物または練り状物などの内容物を収容して、小さい力で容易に押し出すことのできる容器に関する。
図１〜４において、第１実施形態の内容物押出容器１は、内側に収容部５を備える容器本体２と、この収容部５の上部の開口部５ａを覆うように容器本体２に回動自在に嵌着される中蓋３と、さらに中蓋３を上から覆うように容器本体２に装着される外蓋４と、容器本体２に対する中蓋３の相対回動方向を一方向のみに規制するラチェット機構３５とで構成されている。
【００１０】
なお、本明細書において上下方向とは図１における上下方向をいい、径内方向または径外方向とは同じく図１における容器本体２の左右方向であって、この容器本体２の中心軸線Ｌを中心にこの中心軸線Ｌに近づく方向を径内方向（あるいは単に内側）、遠ざかる方向を径外方向（あるいは単に外側）という。さらに、周方向とは前記中心軸線Ｌまわりの方向を云う。以下、本明細書において同じ。
図１、２に示されるように、前記容器本体２は、有底円筒状であって、内側には収容部５が形成されている。収容部５の上端は上方に向かって開口しており、上部に開口部５ａが形成され、この開口部５ａを閉鎖するように前記中蓋３が容器本体２に外嵌されている。
【００１１】
前記容器本体２は、前記収容部５を形成する内壁２７を径内側に備え、この内壁２７の外側には外壁２６が設けられており、該外壁２６と内壁２７との間には下方に開口した環状の空洞部２９と上方に開口した環状の間隙３０とが形成されており、空洞部２９と間隙３０との間に環状棚板部３６が形成されている。
前記外壁２６には上端側から下端側に向けて上部外周面２６ａ、中途外周面２６ｂ、下部外周面２６ｃが順に径外側に面して形成されており、これらの上部外周面２６ａ、中途外周面２６ｂ、下部外周面２６ｃは上端側から下端側に向かうにつれて外径が段差１５ａと段差１５ｂとを介して段階的に大きくなる多段円筒面状に形成されている。前記上部外周面２６ａには径外側に向かって突出する係合部１２が周方向に沿って形成されており、係合部１２の下側の上部外周面２６ａには互いに周方向に対称な位置（円筒状の容器本体２を径方向に横切って互いに差し向かいに）にそれぞれ前記ラチェット機構３５のラチェット爪１６ａ、１６ｂが対向形成されている。また、前記中途外周面２６ｂは、装着された中蓋３の外周面とこの中途外周面２６ｂとが略面一となるように、前記中蓋３の厚み分の段差１５ａが設けられて上部外周面２６ａより大径に形成されており、また前記外蓋４を螺合装着する雄ねじ部９がこの中途外周面２６ｂに形成されている。さらに、前記下部外周面２６ｃは、螺合装着された外蓋４の外周面とこの下部外周面２６ｃとが略面一となるように、前記外蓋４の厚み分の段差１５ｂが設けられて中途外周面２６ｂより大径に形成されている。
【００１２】
前記収容部５は、内周面に上下方向に亘って回り止め部２３ａ、２３ｂが径内方向に向かって突出形成されており、またその内部には中心軸線Ｌに沿って中央を上下に貫通するネジ棒６と、このネジ棒６が中央を貫通する内容物支持台７とが設けられている。
前記回り止め部２３ａ、２３ｂは、前記容器本体２の内壁２７を径内側に突出させて、これら回り止め部２３ａ、２３ｂが形成されていない部分の内壁２７より径方向の厚みを増加させて、この増加した厚みを利用して径外側に前記ラチェット爪１６ａ、１６ｂの退入空間を形成する部分であり、この回り止め部２３ａ、２３ｂの外壁２６にラチェット爪１６ａ、１６ｂを常時、外壁２６の径外側へ弾性的に突出するように切り起こし形成している。
【００１３】
前記ネジ棒６は、上端が前記中蓋３に嵌合され、上端以外の部分（上下方向の中途部）の外周面に雄ネジ部２５が形成され、また内部を上下に挿通する通気路３１が形成されている。この通気路３１を前記ネジ棒６に設けたことにより、中蓋３の上面側と収容部５の内容物支持台７より下方側との通気を確保し、内容物支持台７が収容部５内を昇降しても収容部５の下端側（内容物支持台７と収容部５とで形成される閉空間）が負圧化するのを防ぐことができ、収容部５内において内容物支持台７が円滑に昇降できるようにしている。
【００１４】
前記内容物支持台７は、上部に内容物８を載置可能となっており、縁で収容部５の内周面に当接して収容部５をシーリングしており、中心軸線Ｌに垂直な方向の断面形状を前記収容部５の断面形状に合わせて形成されている。即ち、この内容物支持台７は、中心（中心軸線Ｌ）を挟んで外周（円形外周）の一部が２箇所に亘って直線状に切り取られた長円形状（タル型形状）に形成されており、この切り取られた外周部に切欠部２４ａ、２４ｂが形成され、さらに中央部には上下に貫通して雌ネジ部２２が形成されている。
前記切欠部２４ａ、２４ｂは収容部５内周面に形成された回り止め部２３ａ、２３ｂに対応しており、切欠部２４ａが回り止め部２３ａに、切欠部２４ｂが回り止め部２３ｂに当接することで、内容物支持台７の収容部５内での中心軸線Ｌ周りの回動が規制されている。さらに、前記雌ネジ部２２はネジ棒６の雄ネジ部２５と螺合可能となっており、中蓋３（ネジ棒６）が一方向（図２における時計回り）に回動すると、内容物支持台７は収容部５に対する相対回動が規制されたまま収容部５内を上方に向かって移動する。
【００１５】
前記中蓋３は、板状の頂壁１９と、この頂壁１９の外周から下方に向かって伸びる周壁２０とで構成されている。前記周壁２０の内周面には前記係合部１２と係合する被係合部１４が周方向に沿って形成されており、この被係合部１４が前記係合部１２に嵌合することにより中蓋３が容器本体２に対して周方向に回動自在とされつつ上下方向への相対移動を規制されている。前記頂壁１９の中央側には角穴１０が形成されており、前記ネジ棒６の上端が嵌合されてネジ棒６を中蓋３と一体的に回動可能としている。また、前記頂壁１９には、径内外方向に長い長穴状の注出口１１が形成されており、この注出口１１から内容物８を押出（注出）可能としている。前記周壁２０の内周面には前記ラチェット爪１６ａ、１６ｂに対応して外周側に向かってラチェット歯２１が周方向等間隔位置に複数形成されている。
【００１６】
前記外蓋４は、板状の天板４ａと、この天板４ａの外周から下方向かって伸びる側板４ｂとを有しており、この側板４ｂの内周側には雌ねじ部１７が形成されている。よって、前記容器本体２の雄ねじ部９を雌ねじ部１７に係合することで、前記外蓋４は中蓋３を上方から覆うように容器本体２に螺合装着される。前記天板４ａは下面が平坦に形成されており、この下面にパッキング部材１８が設けられている。
前記ラチェット機構３５は、前記容器本体２の上部外周面２６ａに形成されたラチェット爪１６ａ、１６ｂと、中蓋３の周壁２０の内周面に形成されたラチェット歯２１とで構成されている。
【００１７】
前記ラチェット爪１６ａ、１６ｂは外壁２６に上部外周面２６ａから周方向に沿ってコの字状切り込みを入れて（周方向に沿って同じ長さの平行な切り込み線を２本入れて、この２本の切り込み線の反時計方向の端同士を結ぶように切り込みを入れて）、反時計回りの方向に伸びる舌片を形成し、この舌片の先端を上部外周面２６ａより径外側に突出させて形成されている。このラチェット爪１６ａ、１６ｂは時計回り方向に緩やかな傾斜面３３ａを有しており、反時計回り方向には上部外周面２６ａ（の接線方向）に対して略垂直な垂直面３４ａを有している。
【００１８】
一方、前記ラチェット歯２１は、中蓋３の周壁２０の内周面に径外側に向かって凹状に複数形成されており、周方向に対して傾斜した傾斜面３３ｂと、周方向に垂直な（内周面の法線方向に沿った）垂直面３４ｂとを有している。前記傾斜面３３ｂは反時計回り方向に向かうにつれて徐々に径外側に向かうように傾斜しており、前記垂直面３４は時計回り方向に向かって対向するように形成されている。
従って、前記中蓋３を容器本体２に対して一方向（図２における時計回り）に回動しても、ラチェット爪１６ａ、１６ｂの傾斜面３３ａはラチェット歯２１の傾斜面３３ｂに対してスライドするので、中蓋３の容器本体２に対する相対回動は規制されないが、他方向に回動すると、ラチェット爪１６ａ、１６ｂの垂直面３４ａがラチェット歯２１の垂直面３４ｂに当接し、中蓋３の容器本体２に対する相対回動が規制される。これによって、中蓋３は容器本体２に対して一方向には回動自在とされ、回動角度に応じた量の内容物８を押し出すことができるようになり、また他方向には回動が規制されて、一旦押し出された内容物８が収容部５に戻ることが防止される。
【００１９】
前記外壁２６と内壁２７との間には下方に開口した空洞部２９と上方に開口した間隙３０とを周方向に亘って環状に形成することで、容器本体２の材料を削減し、コストの低減が図れる。
前記内容物押出容器１の内容物８は以下のように押出される。即ち、図１にあるように前記内容物支持台７の上部に前記内容物８が載置されており、この内容物支持台７は前記回り止め部２３ａ、２３ｂに切欠部２４ａ、２４ｂが当接してネジ棒６周りの回動が規制されている。従って、前記中蓋３を回動すると、ネジ棒６も一体的に回動し、このネジ棒６に雌ネジ部２２を介して螺合した内容物支持台７は回動を規制されつつ上方に移動する。これによって、この内容物支持台７に載置された内容物８が中蓋３の下面に押圧され、やがて注出口１１から押し出される。
【００２０】
本発明は前記実施形態における各部材の形状およびそれぞれの前後・左右・上下の位置関係は、図１〜４に示すように構成することが最良である。しかし、前記実施形態に限定されるものではなく、部材、構成を種々変形したり、組み合わせを変更したりすることもできる。
例えば、前記実施形態では容器本体２の上部は内外二重壁構造とされていたが、必ずしも周方向に亘って内外二重壁構造とする必要はなく、回り止め部２３ａ、２３ｂだけ二重壁構造としても良い。
【００２１】
また、前記間隙３０にはゴムなどの弾性体をつめ、この弾性体の復元力により前記ラチェット爪１６が径外側に向かって強い弾性力を発揮するように構成することもできる。これによって、ラチェット爪１６とラチェット歯２１との噛合が強くなり、中蓋３の逆方向への回動をより確実に防止することができ、また長期間に亘って使用してもラチェット機構３５の係合力が低下しにくくなる。
さらに、前記実施形態のようにラチェット爪１６は周方向に２箇所のラチェット爪１６ａ、１６ｂで構成されるのが好ましいが、少なくとも周方向に１箇所形成されていれば良く、３箇所以上設けることもできる。
【００２２】
なお、前記実施形態では前記回り止め部２３ａ、２３ｂは内壁２７を径内方向に平面状に突出させていたが、内壁２７を径内方向に突出させる構造であれば、例えば半円状に突出させたり、多角形状に突出させても良く、前記切欠部２４ａ、２４ｂは半円状断面や多角形状断面を有する回り止め部２３ａ、２３ｂに合わせた形状とすればよい。
なお、前記実施形態では内容物支持台７をその円形外周の一部が２箇所に亘って直線状に切り取られた（切り欠かれた）長円形状（タル型形状）に形成し、この切り欠けにより回り止め部２３ａ、２３ｂを形成していたが、例えば内容物支持台７とこの内容物支持台７に対応した収容部５の断面形状を楕円形状や多角形状に形成しても良い。この場合においては前記容器本体２と収容部５との間の周壁の厚みが厚い部分を利用して、前記ラチェット爪１６を形成することができる。
【００２３】
なお、前記実施形態では中蓋３の頂壁１９上面に受皿部２８を形成していたが、例えば外蓋４を上方に向けて突出した形状として、外蓋４の下面と中蓋３の上面との間に隙間を形成し、この部分に内容物８を押し出せるようにしても良い。
なお、前記実施形態ではネジ棒６は上端を中蓋３に嵌合させていたが、ネジ棒６と中蓋３とが一体に回動できる係合手段であれば嵌合以外の係合手段、例えば螺合等で係合しても良く、さらにネジ棒６と中蓋３とを一体に形成しても良い。
なお、前記実施形態では外蓋４は中蓋３を上方から覆うように容器本体２に螺合装着されていたが、螺合以外の係合手段、例えば嵌着により外蓋４を中蓋３に装着しても良い。
【図面の簡単な説明】
【００２４】
【図１】本発明の内容物押出容器の一部断面正面図である。
【図２】図１のＡ−Ａ線断面図である。
【図３】図２のＢ−Ｂ線断面図（一部側面図）である。
【図４】外蓋を外した状態において内容物押出容器を上面から見た平面図である。
【符号の説明】
【００２５】
１    内容物押出容器
２    容器本体
３    中蓋
５ａ  開口部
６    ネジ棒
７    内容物支持台
１１  注出口
１６  ラチェット爪
２１  ラチェット歯
２３  回り止め部
２４  切欠部
２６  外壁
２７  内壁
２８  受皿部
３５  ラチェット機構
【図１】
2008094423.tif 000003
【図２】
2008094423.tif 000004
【図３】
2008094423.tif 000005
【図４】
2008094423.tif 000006